(57)【要約】      （修正有）【課題】使用者が口腔内で単純な往復動作をするだけで適切なブラッシング効果を得ることができると共に、使用者に良好な使い心地を実感させることを可能にする口腔内用ブラシを提供すること。【解決手段】ブラシ台２２と、ブラシ台２２に植設されたワンタフト２６と、を有し、ワンタフト２６は、歯間部分に進入する進入部２６Ａが配設されていると共に、進入部２６Ａの裾部分に交差し、歯間部分を形成する歯に当接する当接面２６Ｂが配設されていることを特徴とする口腔内用ブラシである。また、進入部２６Ａは円錐形状に形成されていることが好ましい。【選択図】図２
2017140267.tif 000002
【特許請求の範囲】
【請求項１】
ブラシ台と、
前記ブラシ台に植設されたワンタフトと、を有し、
前記ワンタフトは、歯間部分に進入する進入部が配設されていると共に、前記進入部の裾部分に交差し、前記歯間部分を形成する歯に当接する当接面が配設されていることを特徴とする口腔内用ブラシ。
【請求項２】
前記進入部は円錐状に形成されていることを特徴とする請求項１記載の口腔内用ブラシ。
【請求項３】
前記当接面は凸曲面に形成されていることを特徴とする請求項１または２記載の口腔内用ブラシ。
【請求項４】
前記当接面は凹曲面に形成されていることを特徴とする請求項１または２記載の口腔内用ブラシ。
【請求項５】
前記ブラシ台には、前記ワンタフトよりも短尺のブラシ毛が植設されていることを特徴とする請求項１〜４のうちのいずれか一項に記載の口腔内用ブラシ。
【請求項６】
前記ブラシ毛は、前記ワンタフトの外側を囲む配置に植設されていることを特徴とする請求項５記載の口腔内用ブラシ。
【発明の詳細な説明】
【技術分野】
【０００１】
本発明は口腔内用ブラシに関し、より詳細には、段差部分が形成されたワンタフトを有する口腔内用ブラシに関する。
【背景技術】
【０００２】
歯垢除去や歯周病および口臭予防等のために用いられる口腔内用ブラシについては、様々な形態のものが提案されている。消費者はさまざまな形態の口腔内用ブラシの中から自分に適すると判断したものを適宜選択して使用することができる。
【０００３】
近年においては、通常の歯ブラシとワンタフトとを一体にした構成の口腔内用ブラシが提案されている。このような口腔内用ブラシとしては例えば特許文献１に開示されているようなものが知られている。
【先行技術文献】
【特許文献】
【０００４】
【特許文献１】特開２０１１−８３４６２号公報
【発明の概要】
【発明が解決しようとする課題】
【０００５】
特許文献１に開示されている口腔内用ブラシは、先述のように通常の歯ブラシとワンタフトとが一体化されているものである。特許文献１に開示されている口腔内用ブラシは、ワンタフトがブラシ台の先端部分に配設されていることもあり、ワンタフトで歯の生え際や歯間部分をブラッシングする際における口腔内用ブラシの動かし方には習熟が必要であるため、口腔内用ブラシの構成を意識せずに使用すると適切なブラッシングができないことが多い。また、口腔内用ブラシの動かし方によっては、ワンタフトを歯間部分に進入させることができたとしても、ワンタフトが適切な状態で歯間部分に当接していないことも多い。このため、当初想定していたような歯間部分のブラッシングを行うことができず、隣接面カリエス等の歯間部分の虫歯を十分に予防することができないことがある。
【０００６】
そこで本発明は、使用者の口腔内用ブラシの取り扱い習熟度にかかわらず、歯間部分に対して常に適切な状態でワンタフトによるブラッシングを可能にする口腔内用ブラシの提供を目的としている。
【課題を解決するための手段】
【０００７】
上記課題を解決するため発明者が鋭意研究した結果、以下の構成に想到した。
すなわち、本発明は、ブラシ台と、前記ブラシ台に植設されたワンタフトと、を有し、前記ワンタフトは、歯間部分に進入する進入部が配設されていると共に、前記進入部の裾部分に交差し、前記歯間部分を形成する歯に当接する当接面が配設されていることを特徴とする口腔内用ブラシである。
【０００８】
これにより、使用者の口腔内用ブラシの取り扱い習熟度にかかわらず、歯間部分および歯間部分の周辺部分に対してワンタフトを適切な状態で当接させることができ、歯間部分および歯間部分の周辺部分に対して適切なブラッシングをすることができる。
【０００９】
また、前記進入部は円錐状に形成されていることが好ましい。これにより、進入部の先端部分を歯間部分の最奥部まで進入させることができる。
【００１０】
また、前記当接面は凸曲面に形成されていることが好ましい。
また、前記当接面は凹曲面に形成されていることが好ましい。
【００１１】
これらにより、歯の大きさ、歯の形状、歯の生え方、矯正具の装着の有無等の使用者の口腔内における状態に合わせて適切なワンタフトの形状を選択することができ、使用者の口腔内の状態に合わせて適切なブラッシングを行うことができる。
【００１２】
また、前記ブラシ台には、前記ワンタフトよりも短尺のブラシ毛が植設されていることが好ましく、前記ブラシ毛は、前記ワンタフトの外側を囲む配置に植設されていることがより好ましい。
【００１３】
これらにより、ワンタフトだけでなくワンタフトよりも短尺に形成されたブラシ毛によるブラッシングも同時に行うことができるため、より効率的な口腔内のブラッシングが可能になる。
【発明の効果】
【００１４】
本発明にかかる口腔内用ブラシの構成を採用することにより、使用者の口腔内用ブラシの取り扱い習熟度にかかわらず、歯間部分および歯間部分の周辺部分に対してワンタフトを適切な状態で当接させることができ、歯間部分および歯間部分の周辺部分に対して適切なブラッシングをすることができる。
【図面の簡単な説明】
【００１５】
【図１】本実施形態における口腔内用ブラシの正面図である。
【図２】図１の口腔内用ブラシのブラシ部の拡大正面図である。
【図３】図１に示す口腔内用ブラシの使用状況説明図である。
【図４】他の実施形態における口腔内用ブラシの要部斜視図である。
【発明を実施するための形態】
【００１６】
以下、本発明にかかる口腔内用ブラシの実施形態について図面に基づいて説明する。
図１および図２に示すように、本実施形態における口腔内用ブラシ１０は、ブラシ部２０とブラシ部２０を保持するためのハンドル３０とを有している。
【００１７】
ブラシ部２０は、ブラシ台２２と、ブラシ台２２に植設された複数の毛束２３Ａ，２３Ｂとを有している。本実施形態においては複数の毛束２３Ａが通常のブラシ毛２４を構成し、毛束２３Ｂがワンタフト２６を構成している。毛束２３Ａは毛束２３Ｂよりも短尺に形成されており、毛束２３Ｂの方が毛束２３Ａよりもブラシ台２２からの突出高さが高くなっている。毛束２３Ｂの材料は毛束２３Ａの材料よりも高剛性の材料が用いられている。ワンタフト２６を構成する毛束２３Ｂはブラシ部２０（ブラシ台２２）の平面中央位置に植設されている。
【００１８】
なお、図１および図２においては、図示を簡略にするため毛束２３Ａおよび毛束２３Ｂが隙間なく植設されているように表現しているが、毛束２３Ａおよび毛束２３Ｂとはそれぞれ平面視形状が円形をなし、各々が独立した状態でブラシ台２２に植設されている。より具体的には毛束２３Ｂの外側（毛束２３Ｂの外周面）を取り囲むようにして毛束２３Ａがブラシ台２２の上面にマトリクス状配列で植設されていることが好ましい。
【００１９】
本実施形態におけるワンタフト２６は、ワンタフト２６自身の平面中央部分が、ワンタフト２６の他の部分よりも上側に突出する進入部２６Ａに形成されている。また、ワンタフト２６の進入部２６Ａ以外の部分は、進入部２６Ａの側周面の裾部分に交差する当接面２６Ｂに形成されている。進入部２６Ａは歯間部分５０に進入させるための部分である。また、当接面２６Ｂは歯間部分５０を形成する２本の歯４０，４０の歯間部分５０の入り口部分における表面に当接させるための部分である。
【００２０】
図１および図２からも明らかなように、本実施形態における進入部２６Ａは円錐状に形成され、当接面２６Ｂは扁平な円錐台の側周面に相当する形状に形成されており、進入部２６Ａおよび当接面２６Ｂは毛束２３Ａの上端高さ位置よりも突出させている。このように本実施形態においては、進入部２６Ａと進入部２６Ａに配設する当接面２６Ｂとが形成された段差部分を有するワンタフト２６を採用している点が特徴的である。
【００２１】
ワンタフト２６の外側（外周面）を取り囲む配置でブラシ台２２に植設された通常のブラシ毛２４（毛束２３Ａ）は、図１に示すようにすべて同じ高さ寸法に形成した形態を採用しているが、通常のブラシ毛２４の部分が鋸刃状の凹凸形状等をなすように、通常のブラシ毛２４を構成する複数の毛束２３Ａの植設高さ寸法を適宜異ならせるようにした形態を採用してもよい。
【００２２】
このように形成された口腔内用ブラシ１０の使用状況について図３を参照しながら説明をする。本実施形態の口腔内用ブラシ１０を用いて歯４０をブラッシングする際は、ワンタフト２６が歯４０または歯茎（図示せず）に当接している際における接触感覚に基づけばワンタフト２６を歯間部分５０に進入させることができる。図１および図２に示すように本実施形態における口腔内用ブラシ１０は、ワンタフト２６がブラシ部２０（ブラシ台２２）の平面中央部分に配設されている。このため、いわゆるつま先磨きや、かかと磨きと称される特殊なブラシ操作を行うことなく、口腔内におけるワンタフト２６の接触感覚を頼りにしながら通常の歯みがき動作を行えば、ワンタフト２６を歯間部分５０に容易に進入させることができる点で使い勝手が良好である。
【００２３】
本実施形態における口腔内用ブラシ１０は、図３に示すように、ブラシ部２０に形成されたワンタフト２６のうち進入部２６Ａを歯間部分５０に進入させた状態でブラッシングをすることができる。図３に示すように、進入部２６Ａを歯間部分５０に進入させると、進入部２６Ａの先端部分が歯間部分５０の最奥部まで進入し、進入部２６Ａの裾部分に連設された当接面２６Ｂが歯間部分５０を形成する２本の歯４０，４０の歯間部分５０の入口部分（歯間部分５０の周辺部分）の表面に当接することになる。
【００２４】
以上により使用者が口腔内用ブラシ１０を歯間部分５０に対して強めに押し付けたとしても、当接面２６Ｂが歯間部分５０を形成する２本の歯４０，４０の歯間部分５０の入り口部分における表面に当接することによりストッパの役目をなし、進入部２６Ａが意図しない変形をすることがない。すなわち進入部２６Ａを適切な状態で歯間部分５０の最奥部に到達させると共に、当接面２６Ｂを歯間部分５０の入り口部分における２本の歯４０，４０の表面に当接させることができるのである。よって使用者は口腔内用ブラシ１０を通常の歯ブラシと同様にして使用すれば、ワンタフト２６により歯間部分５０を確実にブラッシングすることができる。また、ワンタフト２６によるブラッシングと同時に、通常のブラシ毛２４の部分によっても他の歯４０へのブラッシングを行うことができ、短時間で効率的な口腔内洗浄（歯みがき）をすることができるのである。
【００２５】
以上に本発明にかかる口腔内用ブラシ１０について実施形態に基づいて詳細に説明を行ったが、本発明の技術的範囲は、以上の実施形態に限定されるものではない。例えば、本実施形態においては、ブラシ部２０にはワンタフト２６（毛束２３Ｂ）と通常のブラシ毛２４（毛束２３Ａ）とがそれぞれ植設された形態を採用しているが、図４に示すように通常のブラシ毛２４（毛束２３Ａ）はブラシ台２２への植設を省略することもできる。本発明の最大の特徴点、はワンタフト２６（ワンタフト２６を構成する毛束２３Ｂ）に進入部２６Ａと進入部２６Ａの裾部分に連設する当接面２６Ｂとが形成され、段差部分を有するワンタフト２６を採用した口腔内用ブラシ１０の構成にある。
【００２６】
また、以上に説明した実施形態においては、通常のブラシ毛２４を構成する毛束２３Ａとワンタフト２６を構成する毛束２３Ｂの径寸法が同一径寸法に形成された形態について説明しているが、毛束２３Ａよりも毛束２３Ｂの径寸法を大径寸法に形成した形態や、毛束２３Ｂよりも毛束２３Ａの径寸法を大径寸法に形成した形態を適宜採用することもできる。
【００２７】
また、以上に説明した実施形態においては、ワンタフト２６の進入部２６Ａが円錐状に形成された形態について説明しているが、進入部２６Ａは円錐状に限定されるものではない。進入部２６Ａは、ワンタフト２６内で他の部分より突出していればよい。具体的な変形例としては、多角形錐体や柱状体に形成された進入部２６Ａを採用することもできる。
【００２８】
また、以上に説明した実施形態においては、ワンタフト２６の当接面２６Ｂをブラシ台２２の上面に対して直線的に傾斜する傾斜面（扁平な円錐台の側周面）に形成した形態について説明しているが、この形態に限定されるものではない。例えば、ブラシ台２２の上面に平行な面に形成した当接面２６Ｂの他、ブラシ台２２の上面に対して凸曲面または凹曲面に形成した当接面２６Ｂの形態を採用することもできる。
【００２９】
以上の変形例を採用することにより、使用者は自分の口腔内の状態に合わせて進入部２６Ａの形状や当接面２６Ｂの形状を適宜選択することができる点で好都合である。
また、以上の実施形態においては、ハンドル３０を有する口腔内用ブラシ１０の形態について説明しているが、別体のハンドル３０に対して着脱可能ないわゆる交換型の口腔内用ブラシ１０の形態を採用することもできる。
そして、以上の実施形態において説明した形態と上記変形例を適宜組み合わせた形態を採用することも可能である。
【符号の説明】
【００３０】
１０  口腔内用ブラシ
２０  ブラシ部
２２  ブラシ台
２３Ａ，２３Ｂ  毛束
２４  通常のブラシ毛
２６  ワンタフト
２６Ａ  進入部
２６Ｂ  当接面
３０  ハンドル
４０  歯
５０  歯間部分
【図１】
2017140267.tif 000003
【図２】
2017140267.tif 000004
【図３】
2017140267.tif 000005
【図４】
2017140267.tif 000006